(57)【要約】【課題】眼鏡を使用している場合は外れ難く、テンプルの組立て又は着脱の際はワンタッチで簡単に脱着出来る様にし、且つ、テンプルの交換も容易にする事。【解決手段】上下表面の一方の面に座ぐり凹部（１５）が設けられた雌コマ部（１０）と、その雌コマ部の二枚コマの間に嵌合されるテンプルピース端部（３１）の雄コマ部（２０）とは、前記雌コマ部凹部に嵌合される磁石部材からなる頭部を有する押しピン形状体（４０）のピン部（４２）を回動軸として、回動可能に連結され、前記磁石頭部（４１）は雌コマ部又は雄コマ部に直接又は間接的に磁着されるようにされ、そして、別体の磁石又は磁性体（Ｇ）により押しピン形状体（４０）が取り外せる様なヒンジ部の構造にした。【選択図】図１
2008129566.tif 000002
【特許請求の範囲】
【請求項１】
雌コマ部と、そのコマの間に嵌合されるテンプルピース端部の雄コマ部とは、磁石部材からなる頭部を有する押しピン形状体のピン部を回動軸として回動可能に連結され、前記磁石頭部は雌コマ部又は雄コマ部に直接又は間接的に磁着されるようにされ、そして、別体の磁石又は磁性体により前記押しピン形状体が取り外せる様にされた事を特徴とする、ワンタッチ着脱可能なネジ無し磁着ヒンジ。
【請求項２】
上下表面の一方の面に座ぐり凹部が設けられた雌コマ部と、その雌コマ部の二枚コマの間に嵌合されるテンプルピース端部の雄コマ部とは、前記雌コマ部凹部に嵌合される磁石部材からなる頭部を有する押しピン形状のピン部を回動軸として、回動可能に連結され、前記磁石頭部は雌コマ部又は雄コマ部に直接又は間接的に磁着されるようにされ、そして、別体の磁石又は磁性体により押しピン形状体が取り外せる様にされた事を特徴とする、ワンタッチ着脱可能なネジ無し磁着ヒンジ。
【請求項３】
前記雄コマ部と雌コマ部の摺動面にアガキ発生用の弾性体を嵌合した事を特徴とする請求項１又は２の何れか１項に記載のワンタッチ着脱可能なネジ無し磁着ヒンジ。
【請求項４】
前記雌コマ部又は雄コマ部のどちらか一方又は両方が磁性体からなることを特徴とする請求項１又は２の何れか１項に記載のワンタッチ着脱可能なネジ無し磁着ヒンジ。
【請求項５】
前記請求項１又は２記載の磁着ヒンジを使用し、複数のテンプルを交換可能に使用される様にした事を特徴とする、テンプル交換システム。
【発明の詳細な説明】
【技術分野】
【０００１】  眼鏡のヒンジに関し、詳しくは、磁着式のワンタッチ着脱ヒンジとそれを利用したテンプル交換システムに関する。
【背景技術】
【０００２】  従来、磁着部材の磁着力を利用し、ヒンジ部に使用しネジを無くしたものとしては、特開平１０−２８４３１７号や特開平１１−１１９１６６号が開示されている。【０００３】
【特許文献１】特開平１０−２８４３１７号
【特許文献２】特開平１１−１１９１６６号
【発明の開示】
【発明が解決しようとする課題】
【０００４】  しかしながら、上記特開平１０−２８４３１７号や特開平１１−１１９１６６号に於いては、組立に於いてはネジがいらなくて、着脱は比較的簡単で、便利ではあるが、眼鏡を装着している時に於いても、テンプルの自由端部の最端部近辺に力が加わったりすると、梃子の原理によりヒンジ部に力が集中的に掛かり簡単に外れてしまうという危惧が両方ともにあった。又、テンプル先端部のヒンジ部分も磁石を有する特殊な形状に設計する必要があり、テンプルを交換部品として作るのには費用が掛かり過ぎた。
【課題を解決するための手段】
【０００５】  本発明に於いては上記課題を解決する為に、先ず、雌コマ部と、そのコマの間に嵌合されるテンプルピース端部の雄コマ部とは、磁石部材からなる頭部を有する押しピン形状体のピン部を回動軸として回動可能に連結され、前記磁石頭部は雌コマ部又は雄コマ部に直接又は間接的に磁着されるようにされ、そして、別体の磁石又は磁性体により前記押しピン形状体が取り外せる様にされた事を特徴とする、ワンタッチ着脱可能なネジ無し磁着ヒンジの提供を図った。【０００６】  次に、上下表面の一方の面に座ぐり凹部が設けられた雌コマ部と、その雌コマ部の二枚コマの間に嵌合されるテンプルピース端部の雄コマ部とは、前記雌コマ部凹部に嵌合される磁石部材からなる頭部を有する押しピン形状のピン部を回動軸として、回動可能に連結され、前記磁石頭部は雌コマ部又は雄コマ部に直接又は間接的に磁着されるようにされ、そして、別体の磁石又は磁性体により押しピン形状体が取り外せる様にされた事を特徴とするワンタッチ着脱可能なネジ無し磁着ヒンジの提供を図った。【０００７】  更に、適当なアガキを出す為に、前記雄コマ部と雌コマ部の摺動面にアガキ発生用の弾性体を嵌合した。又、雌コマ部又は雄コマ部のどちらか一方又は両方が磁性体からなるようにした。【０００８】  そして、上記本発明の磁着ヒンジを使用し、簡単に複数のテンプルを交換可能にした。
【発明の効果】
【０００９】  本発明によると、テンプル端部の雄コマ部が雌コマ部の間に嵌合されているので、例えテンプル最端部に余分な力が掛かったとしても簡単に外れる事は無くなった。そして押しピン状の形状にされた事により、別体の磁石又は磁性体の使用により簡単に着脱が出来、テンプルも通常の形状での製作が可能となり交換テンプル部品としての値段も安く出来るようになった。又、組立に於けるネジ締めの手間が省け、誰でもが簡単に組立て出来るようになった
【発明を実施するための最良の形態】
【００１０】  以下最良の形態を図により実施例として詳述する。
【実施例１】
【００１１】  図１は本発明の磁着ヒンジ部Ｔの要部分解斜視図であり、上下表面の一方の面（この図の場合は上表面）に座ぐり凹部１５が設けられた雌コマ部１０と、その雌コマ部の二枚コマ１２，１４の間に嵌合されるテンプルピース端部３１の雄コマ部２０とは、前記雌コマ部凹部１５に嵌合される磁石部材からなる頭部４１を有する押しピン形状体４０のピン部４２を回動軸として、回動可能に連結される。そして、前記磁石頭部４１は雌コマ部又は雄コマ部に直接又は間接的に磁着されるようにされている。これは、例えば、雌コマ部が磁性体で、雄コマ部が非磁性体でも良いし、又雌コマ部が非磁性体で、雄コマ部が磁性体であっても良く、更に雌コマ部と雄コマ部両方が磁性体であっても良い。そして、別体の磁石又は磁性体Ｇにより押しピン形状体４０が取り外せる様にされる。【００１２】  図２，３はヒンジ部の着脱の工程を示した要部側面図であり、先ず雌コマ部１０の二枚コマ１２，１４の間に雄コマ部２０を差込、そして、別体の磁石Ｇ又は磁性体に押しピン形状体４０の頭部１を磁着させる。そして、雌コマ部凹部１５の中に押しピン形状体を挿入し、雄コマ部２０を少し動かし軸孔を合わせる。するとカチッと音がして押しピン形状体が所定の位置に収まる。そこで、別体磁石Ｇ又は磁性体を横滑りさせるように移動する。それで組立ては完了する。非常に簡単で素人でもミス無く行える。今迄のネジを使用したヒンジであれば、小さいネジをドライバーに嵌めるだけでも大変で、それを細いネジ穴に挿入して締める事は一般の人には殆ど出来なかった。又、逆に取り外す場合は、磁石又は磁性体Ｇを押しピン形状体４０に磁着させ、垂直に引き上げるだけで簡単に分解できる。【００１３】  又、図３のように雌コマ部１０の下部コマ部１４には孔を設け無くても良く、勿論図４のように穴を設けても構わない。ただネジ目は切らなくても済み手間は省ける。【００１４】  図５はテンプル開閉の際に、適宜なアガキを出す為に、雌コマ部１０ａと雄コマ部２０ａの間の摺動面２５に弾性体５０を配しても良い。弾性体はコイルバネ、板バネ、ワッシャーバネ等で良い。【００１５】  そして図６のように、磁石又は磁性体即ち鉄製の物が有れば、誰でも簡単に取り外し取付が出来るので、テンプルの交換もユーザーが簡単に行える。勿論、取り外し専用の磁石や磁性体を提供することも可能である。又、交換用のテンプル３０ａも特別に磁石を組み込む必要が無く、通常のテンプル３０と同様に製作できるので安価に仕上がる。それどころか従来のネジ式のテンプルもサイズさえ合えばそのまま使用出来る。
【産業上の利用可能性】
【００１６】  眼鏡に於いての広い応用が期待される。
【図面の簡単な説明】
【００１７】
【図１】本発明の磁着ヒンジ要部分解斜視図
【図２】本発明の実施例の組立説明用側面図
【図３】本発明の実施例の組立説明用側面図
【図４】本発明の実施例の応用変化例側面図
【図５】本発明の他の実施例の要部側面図
【図６】本発明のテンプル交換システム例図
【符号の説明】
１０          雌コマ部
１２，１４    上下二枚コマ
１５          雌コマ部座ぐり凹部
１６、１７    軸穴
２０          雄コマ部
２２          雄コマ部軸穴
２５          雌コマ部と雄コマ部の摺動面
３０          テンプル
３１          テンプル端部
４０          押しピン形状体
４１          押しピン形状体頭部
４１          押しピン形状体ピン部
Ｇ            別体磁石又は磁性体
【図１】
2008129566.tif 000003
【図２】
2008129566.tif 000004
【図３】
2008129566.tif 000005
【図４】
2008129566.tif 000006
【図５】
2008129566.tif 000007
【図６】
2008129566.tif 000008